(57)【要約】【課題】待機電力を低減させるためのスイッチングモード電源供給装置及びそれを制御する方法、画像形成装置、並びにコンピュータ読み取り可能な記録媒体を提供する。【解決手段】本発明の電源供給装置は、少なくとも１つのトランスフォーマを含む画像形成装置用スイッチングモード電源供給装置（ＳＭＰＳ）であって、トランスフォーマに印加される電圧をスイッチングするスイッチング部と、スイッチング部に連結されたスナバ回路と、スナバ回路のオン／オフ動作を制御する第１スイッチ素子と、画像形成装置の状態がレディモードであるか又は電源節約モードであるかによって、第１スイッチ素子のオン／オフ動作を制御する第２スイッチ素子と、を備える。【選択図】図１
2012039862.tif 000002
【特許請求の範囲】
【請求項１】
少なくとも１つのトランスフォーマを含む画像形成装置用スイッチングモード電源供給装置（ＳＭＰＳ）であって、
前記トランスフォーマに印加される電圧をスイッチングするスイッチング部と、
前記スイッチング部に連結されたスナバ回路と、
前記スナバ回路のオン／オフ動作を制御する第１スイッチ素子と、
前記画像形成装置の状態がレディモードであるか又は電源節約モードであるかによって、前記第１スイッチ素子のオン／オフ動作を制御する第２スイッチ素子と、を備えることを特徴とする電源供給装置。
【請求項２】
前記第２スイッチ素子は、前記トランスフォーマの一次側回路又は二次側回路のうちのいずれか１つの地点での電圧又は電流の値を臨界値と比較した結果によってオン／オフし、前記第１スイッチ素子のオン／オフ動作を制御することを特徴とする請求項１に記載の電源供給装置。
【請求項３】
前記第２スイッチ素子は、前記トランスフォーマの二次側回路の第１地点の電圧が、前記画像形成装置がレディモード状態であるときの前記トランスフォーマの出力電圧のうち、前記第１地点を通過する出力電圧より大きい場合にターンオンするツェナーダイオードを含み、
前記第１スイッチ素子は、前記第２スイッチ素子がターンオンすることによって、前記スナバ回路をオフにすることを特徴とする請求項１に記載の電源供給装置。
【請求項４】
前記第１スイッチ素子は、
前記第２スイッチ素子がターンオンすることによってターンオフされるトランジスタと、
前記トランジスタがターンオフすることによって絶縁されるフォトカプラと、
前記フォトカプラが絶縁されることによってターンオフされるシリコン制御整流器と、を更に含むことを特徴とする請求項３に記載の電源供給装置。
【請求項５】
前記スイッチング部は、ＭＯＳＦＥＴを含み、
前記第２スイッチ素子は、前記ＭＯＳＦＥＴのドレイン−ソース電圧が、前記画像形成装置がレディモード状態であるときの電圧より低い場合、ターンオフするツェナーダイオードを含み、
前記第１スイッチ素子は、前記第２スイッチ素子がターンオフすることによって、前記スナバ回路をオフにすることを特徴とする請求項１に記載の電源供給装置。
【請求項６】
前記第１スイッチ素子は、
前記第２スイッチ素子がターンオフすることによってターンオフされるトランジスタと、
前記トランジスタがターンオフすることによって絶縁されるフォトカプラと、
前記フォトカプラが絶縁されることによってターンオフされるシリコン制御整流器と、を更に含むことを特徴とする請求項５に記載の電源供給装置。
【請求項７】
前記スイッチング部は、ＭＯＳＦＥＴを含み、
前記第２スイッチ素子は、前記ＭＯＳＦＥＴのソース端に連結された抵抗に流れる電流が、前記画像形成装置がレディモード状態であるときの電流より小さい場合、ターンオフするツェナーダイオードを含み、
前記第１スイッチ素子は、前記第２スイッチ素子がターンオフすることによって、前記スナバ回路をオフにすることを特徴とする請求項１に記載の電源供給装置。
【請求項８】
前記第１スイッチ素子は、
前記第２スイッチ素子がターンオフすることによってターンオフされるトランジスタと、
前記トランジスタがターンオフすることによって絶縁されるフォトカプラと、
前記フォトカプラが絶縁されることによってターンオフされるシリコン制御整流器と、を更に含むことを特徴とする請求項７に記載の電源供給装置。
【請求項９】
前記第１スイッチ素子は、シリコン制御整流器（ＳＣＲ）、ＭＯＳＦＥＴ、フォトカプラ、リレイ、トランジスタ、トライアックのうちの少なくともいずれか一つを含むことを特徴とする請求項１に記載の電源供給装置。
【請求項１０】
前記第２スイッチ素子は、所定の電圧範囲内で、１つの方向に電荷を通過させる方向性素子であることを特徴とする請求項１に記載の電源供給装置。
【請求項１１】
少なくとも１つのトランスフォーマを含むスイッチングモード電源供給装置（ＳＭＰＳ）を含む画像形成装置であって、
前記画像形成装置の状態がレディモードであるか又は電源節約モードであるかによる前記トランスフォーマの一次側回路又は二次側回路のうちのいずれか１つの地点の電圧又は電流の値を臨界値と比較した結果によって、前記トランスフォーマに印加される電圧をスイッチングするスイッチング部に連結されたスナバ回路のオン／オフ動作を制御する第１スイッチ素子を制御する電源供給装置と、
前記電源供給装置から出力される出力電圧によって作動し、印刷データに対する画像を形成する画像形成部と、を備えることを特徴とする画像形成装置。
【請求項１２】
少なくとも１つのトランスフォーマを含む画像形成装置用スイッチングモード電源供給装置（ＳＭＰＳ）を制御する方法であって、
前記画像形成装置の状態がレディモードであるか又は電源節約モードであるかによる前記トランスフォーマの一次側回路又は二次側回路のうちのいずれか１つの地点の電圧又は電流の値を臨界値と比較した結果によって、第２スイッチ素子を制御する段階と、
前記第２スイッチ素子の制御によって、前記トランスフォーマに印加される電圧をスイッチングするスイッチング部に連結されたスナバ回路のオン／オフ動作を制御する第１スイッチ素子を制御する段階と、を有することを特徴とする方法。
【請求項１３】
前記第１スイッチ素子は、シリコン制御整流器（ＳＣＲ）、ＭＯＳＦＥＴ、フォトカプラ、リレイ、トランジスタ、トライアックのうちの少なくともいずれか一つを含むことを特徴とする請求項１２に記載の方法。
【請求項１４】
前記第２スイッチ素子は、所定の電圧範囲内で、１つの方向に電荷を通過させる方向性素子であることを特徴とする請求項１２に記載の方法。
【請求項１５】
請求項１２乃至請求項１４のうちのいずれか１項に記載の方法をコンピュータに実行させるためのプログラムを記録したコンピュータ読み取り可能な記録媒体。
【発明の詳細な説明】
【技術分野】
【０００１】
本発明は、スイッチングモード電源供給装置及びそれを制御する方法、画像形成装置、並びにコンピュータ読み取り可能な記録媒体に関する。
【背景技術】
【０００２】
電子製品に電源を供給する電源装置として、スイッチングモード電源供給装置（ＳＭＰＳ：ｓｗｉｔｃｈｉｎｇ  ｍｏｄｅ  ｐｏｗｅｒ  ｓｕｐｐｌｙ）が使われる。スイッチングモード電源供給装置は、入力された交流電圧を変換し、電子製品を動作可能なようにする定電圧を出力する。電子製品がレディモード（ｒｅａｄｙ  ｍｏｄｅ）状態で、一定時間の間待機状態にある場合、電子製品は、電源節約モード（ｐｏｗｅｒ  ｓａｖｉｎｇ  ｍｏｄｅ）に入る。現在、全世界的に二酸化炭素使用量を減らすために、電子製品の待機電力に対する規制が強化されているが、電源節約モードで、電源供給装置の消費電力を低減させる方策が要求されている。このような技術は、例えば、特許文献１に開示されている。
【先行技術文献】
【特許文献】
【０００３】
【特許文献１】韓国公開特許公報第２００９−００８５９２１号
【発明の概要】
【発明が解決しようとする課題】
【０００４】
本発明は、上記従来の問題点に鑑みてなされたものであって、本発明の目的は、待機電力を低減させるためのスイッチングモード電源供給装置及びそれを制御する方法、この電源供給装置を備える画像形成装置を提供することにある。また、この方法をコンピュータで実行させるためのプログラムを記録したコンピュータ読み取り可能な記録媒体を提供することにある。
【課題を解決するための手段】
【０００５】
上記目的を達成するためになされた本発明による少なくとも１つのトランスフォーマを含む画像形成装置用スイッチングモード電源供給装置（ＳＭＰＳ）は、前記トランスフォーマに印加される電圧をスイッチングするスイッチング部と、前記スイッチング部に連結されたスナバ回路と、前記スナバ回路のオン／オフ（ｏｎ／ｏｆｆ）動作を制御する第１スイッチ素子と、前記画像形成装置の状態がレディモードであるか又は電源節約モードであるかによって、前記第１スイッチ素子のオン／オフ動作を制御する第２スイッチ素子と、を備えることを特徴とする。
【０００６】
上記目的を達成するためになされた本発明による少なくとも１つのトランスフォーマを含むスイッチングモード電源供給装置を含む画像形成装置は、前記画像形成装置の状態がレディモードであるか又は電源節約モードであるかによる前記トランスフォーマの一次側回路又は二次側回路のうちのいずれか１つの地点の電圧又は電流の値を臨界値と比較した結果によって、前記トランスフォーマに印加される電圧をスイッチングするスイッチング部に連結されたスナバ回路のオン／オフ動作を制御する第１スイッチ素子を制御する電源供給装置と、前記電源供給装置から出力される出力電圧によって作動し、印刷データに対する画像を形成する画像形成部と、を備えることを特徴とする。
【０００７】
上記目的を達成するためになされた本発明による少なくとも１つのトランスフォーマを含む画像形成装置用スイッチングモード電源供給装置を制御する方法は、前記画像形成装置の状態がレディモードであるか又は電源節約モードであるかによる前記トランスフォーマの一次側回路又は二次側回路のうちのいずれか１つの地点の電圧又は電流の値を臨界値と比較した結果によって、第２スイッチ素子を制御する段階と、前記第２スイッチ素子の制御によって、前記トランスフォーマに印加される電圧をスイッチングするスイッチング部に連結されたスナバ回路のオン／オフ動作を制御する第１スイッチ素子を制御する段階と、を有することを特徴とする。
【０００８】
上記目的を達成するためになされた本発明は、上記スイッチングモード電源供給装置を制御する方法を実行させるためのプログラムを記録したコンピュータ読み取り可能な記録媒体を提供する。
【発明の効果】
【０００９】
本発明によれば、電源供給装置を含む画像形成装置の待機電力が低減しつつ、電源供給装置に含まれる素子を保護することができる。
【図面の簡単な説明】
【００１０】
【図１】本発明の一実施形態によるスイッチングモード電源供給装置を図示したブロック図である。
【図２】本発明の一実施形態によるスイッチングモード電源供給装置の一例を図示した回路図である。
【図３】本発明の他の実施形態によるスイッチングモード電源供給装置の一例を図示した回路図である。
【図４】本発明の更に他の実施形態によるスイッチングモード電源供給装置の一例を図示した回路図である。
【図５】本実施形態による第１スイッチ素子の一例を図示した回路図である。
【図６】本実施形態による第１スイッチ素子の他の例を図示した回路図である。
【図７】本実施形態による第１スイッチ素子の更に他の例を図示した回路図である。
【図８】本発明の一実施形態によるスイッチングモード電源供給装置を含む画像形成装置を図示したブロック図である。
【図９】本発明の一実施形態による少なくとも１つのトランスフォーマを含むスイッチングモード電源供給装置を制御する方法のフローチャートである。
【発明を実施するための形態】
【００１１】
以下、本発明を実施するための形態の具体例を、図面を参照しながら詳細に説明する。
【００１２】
図１は、本発明の一実施形態によるスイッチングモード電源供給装置（ＳＭＰＳ：ｓｗｉｔｃｈｉｎｇ  ｍｏｄｅ  ｐｏｗｅｒ  ｓｕｐｐｌｙ）１００を図示したブロック図である。図１を参照すると、電源供給装置１００は、トランスフォーマ（ｔｒａｎｓｆｏｒｍｅｒ）１１０、スイッチング部１２０、スナバ（ｓｎｕｂｂｅｒ）回路１３０、第１スイッチ素子１４０、及び第２スイッチ素子１５０から構成される。
【００１３】
図１に示した電源供給装置１００には、本実施形態と関連した構成要素だけを図示している。従って、本実施形態と関連した技術分野で当業者であるならば、図１に示した構成要素以外に、他の汎用的な構成要素が更に含まれうることが分かる。
【００１４】
図１に示した電源供給装置１００は、画像形成装置用スイッチングモード電源供給装置１００でありうるが、これに限定されるものではない。以下では、説明の便宜のために、電源供給装置１００は、画像形成装置用電源供給装置１００として説明するが、これに限定されるものではなく、電源供給装置１００は、画像読み取り装置、複合機（ＭＦＰ：ｍｕｌｔｉ−ｆｕｎｃｔｉｏｎ  ｐｅｒｉｐｈｅｒａｌ）、ＰＣ（ｐｅｒｓｏｎａｌ  ｃｏｍｐｕｔｅｒ）、ファクシミリ、ＴＶ（ｔｅｌｅｖｉｓｉｏｎ）、及びスイッチングモード電源供給装置（ＳＭＰＳ）が適用される電子製品に電源を供給するために使われるということを、本実施形態と関連した技術分野で当業者であるならば、理解することができるであろう。
【００１５】
本実施形態によるスイッチングモード電源供給装置１００は、画像形成装置に、一定して（ｃｏｎｓｔａｎｔ）、安定した（ｓｔａｂｌｅ）直流電源又は直流バイアス電圧を印加し、画像形成装置の全般的な動作を制御する。このため、スイッチングモード電源供給装置１００は、交流電圧を第１直流電圧に変換し、変換された第１直流電圧を、画像形成装置で使用しようとする大きさの第２直流電圧に更に変換する。
【００１６】
このとき、第１直流電圧から第２直流電圧への変換は、非スイッチング方式又はスイッチング方式を利用して行われる。
【００１７】
非スイッチング方式は、抵抗電圧分配器（ｒｅｓｉｓｔｉｖｅ  ｖｏｌｔａｇｅ  ｄｉｖｉｄｅｒ）又は線形電圧分配器（ｌｉｎｅａｒ  ｖｏｌｔａｇｅ  ｄｉｖｉｄｅｒ）を利用することができる。また、スイッチング方式は、時比率制御（ｔｉｍｅ−ｒａｔｉｏ  ｃｏｎｔｒｏｌ）を利用することができ、このとき、時比率制御には、デューティ・サイクル制御（ｄｕｔｙ−ｒａｔｉｏ  ｃｏｎｔｒｏｌ）又はパルス幅変調（ＰＷＭ：ｐｕｌｓｅ−ｗｉｄｔｈ  ｍｏｄｕｌａｔｉｏｎ）を用いることができる。
【００１８】
本実施形態による電源供給装置１００は、スイッチング方式によって、トランスフォーマ１１０を利用し、第１直流電圧から第２直流電圧への変換を行うことができる。
【００１９】
トランスフォーマ１１０は、コイルの誘導作用によって、電気エネルギーを、１つの回路から他の回路に伝達する。例えば、本実施形態によるトランスフォーマ１１０は、一次側コイルに印加された電気エネルギーを、二次側コイルに伝達する。即ち、トランスフォーマ１１０の一次側コイルに印加された第１直流電圧は、トランスフォーマ１１０の二次側コイルに、第２直流電圧として伝えられる。
【００２０】
スイッチング部１２０は、トランスフォーマ１１０に印加される電圧をスイッチングする。本実施形態によるスイッチング部１２０は、ＭＯＳＦＥＴ（ｍｅｔａｌ−ｏｘｉｄｅ−ｓｅｍｉｃｏｎｄｕｃｔｏｒ  ｆｉｅｌｄ−ｅｆｆｅｃｔ  ｔｒａｎｓｉｓｔｏｒ）によって構成されうるが、これに限定されるものではない。
【００２１】
例えば、スイッチング部１２０は、スイッチング制御部（図示せず）の駆動電圧の制御による周期でスイッチングされ、スイッチング部１２０によってスイッチングされた電圧が、トランスフォーマ１１０の一次側コイルに印加される。このとき、本実施形態によるスイッチング制御部は、ＰＷＭ（ｐｕｌｓｅ−ｗｉｄｔｈ  ｍｏｄｕｌａｔｉｏｎ）ＩＣ（ｉｎｔｅｇｒａｔｅｄ  ｃｉｒｃｕｉｔ）でありうるが、これに限定されるものではない。
【００２２】
スナバ回路１３０は、スイッチング部１２０に連結される。本実施形態によるスナバ回路１３０は、キャパシタ（ｃａｐａｃｉｔｏｒ）及び抵抗（ｒｅｓｉｓｔｏｒ）から構成され、トランスフォーマ１１０の一次側コイルの両端及びスイッチング部１２０に並列に連結されうるが、これに限定されるものではない。
【００２３】
本実施形態によるスナバ回路１３０は、スイッチング部１２０を過電圧から保護する。スイッチング部１２０がＮチャネルＭＯＳＦＥＴ（Ｎ−ＭＯＳＦＥＴ）である場合を例にして説明する。スナバ回路１３０は、ＭＯＳＦＥＴにピーク（ｐｅａｋ）電圧が印加されることを防止する。
【００２４】
第１スイッチ素子１４０がシリコン制御整流器（ＳＣＲ：ｓｉｌｉｃｏｎ  ｃｏｎｔｒｏｌｌｅｄ  ｒｅｃｔｉｆｉｅｒ）である場合を例に挙げて更に詳細に説明すると、スイッチング部１２０の素子の定格が大きい場合、スイッチング部１２０のターンオン（ｔｕｒｎ−ｏｎ）又はターンオフ（ｔｕｒｎ−ｏｆｆ）の動作が早く行われると、フォワード電流がシリコン制御整流器の一部断面に集中して局部的に熱が発生する。これにより、スイッチング部１２０に損傷が発生しうる。
【００２５】
このような、スイッチング部１２０の損傷を防止するために、回路内にインダクタを挿入し、経時的なフォワード電流上昇率（例えば、ｄｉ／ｄｔ）を制限することができる。これにより、スイッチング部１２０のターンオン又はターンオフの動作が早く行われても、電流が急増せず、スイッチング部１２０の損傷を防止することができる。
【００２６】
また、スイッチング部１２０の損傷を防止するために、回路両端に、抵抗及びキャパシタを挿入し、経時的なフォワード電圧上昇率（例えば、ｄｖ／ｄｔ）を制限することができる。フォワード電圧が非常に大きい割合で突然印加される場合、ＰＮＰＮ構造のシリコン制御整流器で、接合面の静電容量電流によって、シリコン制御整流器のゲート端子に信号を印加しないにもかかわらず、シリコン制御整流器がターンオンされる場合が発生しうる。従って、回路両端に抵抗及びキャパシタを挿入し、経時的なフォワード電圧上昇率（例えば、ｄｖ／ｄｔ）を制限することで、このような場合を防止することができる。
【００２７】
このとき、回路の両端に抵抗及びキャパシタを挿入し、経時的な電圧上昇率を制限する回路をスナバ回路１３０という。
【００２８】
これに対し、スナバ回路１３０が存在しない場合、ＭＯＳＦＥＴがターンオフされるとき、トランスフォーマ１１０の一次側コイルに残っていたエネルギーが、ＭＯＳＦＥＴのドレイン端にピーク電圧として印加されうる。
【００２９】
本実施形態によるキャパシタ及び抵抗によって構成されたスナバ回路１３０が存在すると、ＭＯＳＦＥＴがターンオフされるとき、トランスフォーマ１１０の一次側コイルに残っていたエネルギーは、スナバ回路１３０のキャパシタに充電され、キャパシタに充電されたエネルギーは、抵抗によって消耗されうる。
【００３０】
このように、スナバ回路１３０は、スイッチング部１２０を保護し、また、ＥＭＩ（ｅｌｅｃｔｒｏ−ｍａｇｎｅｔｉｃ  ｉｎｔｅｒｆｅｒｅｎｃｅ）特性を向上させることもできる。しかし、スナバ回路１３０は、トランスフォーマ１１０に印加されたエネルギーを、抵抗を利用して消耗させるために、電源供給装置１００の待機電力が上昇する。更に、電源供給装置１００に印加される負荷が、軽負荷である場合には、トランスフォーマ１１０のエネルギー伝達効率が低くなるので、電力の浪費が発生する。
【００３１】
第１スイッチ素子１４０は、スナバ回路１３０のオン／オフ（ｏｎ／ｏｆｆ）動作を制御する。本実施形態による第１スイッチ素子１４０は、シリコン制御整流器、ＭＯＳＦＥＴ、フォトカプラ（ｐｈｏｔｏ  ｃｏｕｐｌｅｒ）、リレイ（ｒｅｌａｙ）、トランジスタ、トライアック（ＴＲＩＡＣ：ｔｒｉｏｄｅ  ｆｏｒ  ａｌｔｅｒｎａｔｉｎｇ  ｃｕｒｒｅｎｔ  ｓｗｉｔｃｈ）などでありうるが、これらに限定されるものではなく、電気的に絶縁された回路間の信号を伝達することができるスイッチ素子をいずれも用いることができる。本実施形態による第１スイッチ素子１４０は、第２スイッチ素子１５０によって、オン／オフ動作が制御される。
【００３２】
第２スイッチ素子１５０は、画像形成装置の状態がレディモードであるか、或いは電源節約モード（ｐｏｗｅｒ  ｓａｖｅ  ｍｏｄｅ）であるかによって、第１スイッチ素子１４０のオン／オフ動作を制御する。
【００３３】
本実施形態によるレディモードは、画像形成装置が画像形成装置の機能による動作の遂行を待つ状態である。即ち、画像形成装置の外部から信号が受信されると、画像形成装置は、受信信号に対応する動作を直ちに行うことができる。このとき、外部から受信される信号は、画像形成装置の機能によって、印刷命令、スキャン命令などでありうる。
【００３４】
従って、画像形成装置がレディモードである場合、画像形成装置に含まれた制御部（例えば、ＣＰＵ（ｃｅｎｔｒａｌ  ｐｒｏｃｅｓｓｏｒ  ｕｎｉｔ））を含んだあらゆるユニットに電源が供給され、再び正常動作する。
【００３５】
一方、本実施形態による電源節約モードは、画像形成装置の一部ユニットだけが活性化されている状態である。例えば、画像形成装置が電源節約モードである場合、画像形成装置の制御部だけが正常動作し、他のユニットには、電源が印加されない。
【００３６】
画像形成装置が所定の時間の間、いかなる動作も行わないとき、画像形成装置は、電源節約モード状態になる。画像形成装置が電源節約モード状態で、外部から信号を受信すると、画像形成装置は、レディモードに転換される。このとき、外部から受信される信号は、画像形成装置の機能によって、印刷命令、スキャン命令などでありうる。
【００３７】
画像形成装置の状態がレディモードであるか、或いは電源節約モードであるかによって、第２スイッチ素子１５０は、第１スイッチ素子１４０のオン／オフ動作を制御することができる。本実施形態による第２スイッチ素子１５０は、所定の電圧範囲内で、１つの方向にのみ電荷を通過させるダイオードなどの方向性素子でありうるが、これに限定されるものではなく、ツェナーダイオード（Ｚｅｎｅｒ  ｄｉｏｄｅ）、ショットキーダイオード（Ｓｃｈｏｔｔｋｙ  ｄｉｏｄｅ）、発光ダイオード（ＬＥＤ：ｌｉｇｈｔ  ｅｍｉｔｔｉｎｇ  ｄｉｏｄｅ）、ＴＶＳダイオード（ｔｒａｎｓｉｅｎｔ  ｖｏｌｔａｇｅ  ｓｕｐｐｒｅｓｓｉｏｎ  ｄｉｏｄｅ）などをいずれも用いることができる。
【００３８】
例えば、第２スイッチ素子１５０は、トランスフォーマ１１０の一次側回路又は二次側回路のうちのいずれか一つで測定された電圧又は電流の値を臨界値と比較した結果によってオン／オフされ、第１スイッチ素子１４０のオン／オフ動作を制御する。このとき、第２スイッチ素子１４０がダイオードである場合を例に挙げて説明すると、臨界値は、ダイオードの電圧特性による値になりうる。例えば、第２スイッチ素子１５０がツェナーダイオードであるならば、臨界値は、ツェナーダイオードの降伏電圧（ｂｒｅａｋｏｖｅｒ  ｖｏｌｔａｇｅ）になりうるということを、本実施形態と関連した技術分野で当業者であるならば、分かるであろう。
【００３９】
即ち、第２スイッチ素子１５０は、トランスフォーマ１１０の一次側回路又は二次側回路の所定の地点の電圧又は電流の値を臨界値と比較し、比較結果によって、第２スイッチ素子１５０が、オン／オフする。第２スイッチ素子１５０のオン／オフ動作によって、第１スイッチ素子１４０のオン／オフ動作が制御される。
【００４０】
このように、第２スイッチ素子１５０は、画像形成装置の状態による負荷によって、第１スイッチ素子１４０のオン／オフ動作を制御する。
【００４１】
更に詳細に説明すると、画像形成装置の状態がレディモードである場合、画像形成装置の負荷は重負荷になり、画像形成装置の状態が電源節約モードである場合、画像形成装置の負荷は軽負荷になる。本実施形態による電源供給装置１００は、画像形成装置の負荷程度によって、トランスフォーマ１１０の一次側回路又は二次側回路の所定の地点で測定された電圧又は電流の値が変わる。従って、第２スイッチ素子１５０は、画像形成装置の負荷程度によってオン／オフし、第２スイッチ素子１５０のオン／オフ動作によって、第１スイッチ素子１４０のオン／オフ動作が制御される。
【００４２】
例えば、画像形成装置の負荷は、動作状態によって重負荷、軽負荷に区分される。このとき、画像形成装置の負荷が重負荷である場合、画像形成装置はレディモード状態であり、画像形成装置の負荷が軽負荷である場合、画像形成装置は電源節約モード状態である。
【００４３】
画像形成装置が重負荷状態である場合、一例として、エネルギー伝達効率は、約８０％以上であるので、スナバ回路１３０での電力損失が大きくない。しかし、画像形成装置が軽負荷状態である場合、エネルギー伝達効率が約５０％以下であるので、スナバ回路１３０での電力損失が大きくなる。
【００４４】
このため、画像形成装置が電源節約モード状態である場合、本実施形態による第２スイッチ素子１５０は、第１スイッチ素子１４０を制御し、スナバ回路１３０を開放（ｏｐｅｎ）にする。画像形成装置が電源節約モード状態である場合には、電源供給装置１００に流れる電流の大きさが大きくないので、スナバ回路１３０は、ＥＭＩ特性に影響を大きく及ぼさず、スイッチング部１２０に及ぶストレスの量が大きくない。
【００４５】
従って、本実施形態による電源供給装置１００は、第１スイッチ素子１４０及び第２スイッチ素子１５０を利用して、スイッチング部１２０を保護しつつも、画像形成装置の待機電力を低減させることができる。
【００４６】
７０Ｗ級電源供給装置１００を例に挙げて説明すると、画像形成装置が電源節約モード状態であるとき、スナバ回路１３０をオフにすることによって、約１０％以上の消費電力を低減させることができる。
【００４７】
電源供給装置１００の出力電圧が５Ｖ及び２４Ｖである場合を例に挙げて更に詳細に説明すると、画像形成装置が電源節約モード状態の場合、一例として、電源供給装置１００の負荷条件は、５Ｖの電圧を出力する端子では、約０．０５９Ａの電流が流れ、２４Ｖの電圧を出力する端子はオフになる。これによる電源供給装置１００の出力電力は、５Ｖの電圧と０．０５９Ａの電流とによる０．３Ｗになる。
【００４８】
上述のように、本実施形態による電源供給装置１００は、スナバ回路１３０の動作いかんによって、約１０％以上の消費電力を低減させることができる。このとき、電源供給装置１００の消費電力というのは、電源供給装置１００に入力される電力になる。
【００４９】
例えば、画像形成装置が電源節約モード状態であり、スナバ回路１３０がオン状態である場合、電源供給装置１００の消費電力は、約０．７３ワットである。これにより、電源供給装置１００は、約０．７３ワットの電力が入力され、約０．３ワットの電力を出力することになる。このとき、電源供給装置１００の効率は、約４１％となる。
【００５０】
また、画像形成装置が電源節約モード状態であり、スナバ回路１３０がオフ状態である場合、電源供給装置１００の消費電力は、約０．６５ワットである。これにより、電源供給装置１００は、約０．６５ワットの電力が入力され、約０．３ワットの電力を出力することになる。このとき、電源供給装置１００の効率は、約４６％となる。
【００５１】
このように、スナバ回路１３０をオフにすることによって、電源供給装置１００の効率が向上する。即ち、画像形成装置が電源節約モード状態であるとき、スナバ回路１３０で、約０．０８ワットの電力を消耗するので、スナバ回路１３０をオフにすることによって、スナバ回路１３０で消費される電力を低減させることができる。
【００５２】
図２は、本発明の一実施形態によるスイッチングモード電源供給装置の一例を図示した回路図である。本発明と関連した技術分野で当業者であるならば、図２に示した回路の動作原理について理解可能であるので、詳細な説明は省略する。
【００５３】
整流部１６０は、交流電圧を整流する。例えば、整流部１６０は、交流電源を整流する整流素子と、整流された電源を平滑にする平滑素子とから構成されうる。一実施形態で整流素子は、ダイオードを使用したブリッジ回路を採用することができ、平滑素子は、キャパシタを使用することができるが、これらに限定されるものではない。
【００５４】
スイッチング制御部１７０は、スイッチング部１２０を制御する。本実施形態によるスイッチング制御部１７０は、ＰＷＭ（ｐｕｌｓｅ−ｗｉｄｔｈ  ｍｏｄｕｌａｔｉｏｎ）ＩＣ（ｉｎｔｅｇｒａｔｅｄ  ｃｉｒｃｕｉｔ）でありうるが、これに限定されるものではない。スイッチング制御部１７０がＰＷＭ  ＩＣである場合を例に挙げて説明すると、スイッチング制御部１７０は、駆動端子から出力される信号を利用してスイッチング部１２０を制御する。
【００５５】
スイッチング部１２０は、スイッチング制御部１７０の制御によって、トランスフォーマ１１０の一次側コイルに印加される電圧をスイッチングする。これにより、トランスフォーマ１１０には、所定の周期を有する交流電圧が印加される。
【００５６】
トランスフォーマ１１０は、一次側コイルに印加された電圧を、少なくとも一つ以上の直流電圧に変換する。本実施形態によるトランスフォーマ１１０は、第１出力電圧１８１及び第２出力電圧１８２を出力することができる。
【００５７】
本実施形態による電源供給装置１００が画像形成装置用である場合、例えば、第１出力電圧１８１は、画像形成装置の画像形成部（図示せず）を動作させるためのものであり、約２４Ｖの直流電圧になり、第２出力電圧１８２は、画像形成装置のメインシステム（マイコン）を動作させるためのものであり、約５Ｖ又は約３．３Ｖの直流電圧になりうるが、これに限定されるものではない。本実施形態で画像形成部は、印刷データに関わる画像を形成するための帯電、露光、現像、転写及び定着の段階を行うハードウェア構成要素を含むことができる。
【００５８】
本実施形態による第２スイッチ素子１５０は、トランスフォーマ１１０の二次側回路の第１地点１８３での電圧によりスイッチング動作を行う。例えば、第２スイッチ素子１５０は、ツェナーダイオードでありうる。本実施形態による第１出力電圧１８１が２４Ｖの直流電圧を出力すると仮定すると、第２スイッチ素子１５０の臨界値であるツェナーダイオードの降伏電圧は、２４Ｖになる。
【００５９】
例えば、画像形成装置がレディモード状態である場合、電源供給装置１００の第１出力電圧１８１として２４Ｖが出力されるが、画像形成装置が電源節約モード状態になると、第１出力電圧１８１は、２４Ｖより更に大きくなる（例えば、約２６Ｖ）。
【００６０】
従って、トランスフォーマ１１０の二次側回路の所定の地点での電圧が、画像形成装置がレディモード状態であるときの第１出力電圧１８１より高くなると、第２スイッチ素子１５０は、スナバ回路１３０をオフにするために作動する。
【００６１】
更に詳細に説明すると、第２スイッチ素子１５０は、トランスフォーマ１１０の二次側回路の第１地点１８３の電圧が、画像形成装置がレディモード状態になるときのトランスフォーマ１１０の出力電圧のうち、第１地点１８３を通過する第１出力電圧１８１より大きい場合にターンオンするツェナーダイオードを含むことができる。これにより、第１スイッチ素子１４０は、スナバ回路１３０をオフにする。
【００６２】
本実施形態による第１スイッチ素子１４０は、第２スイッチ素子１５０がターンオンすることによってターンオフされるトランジスタ１４０ａ、トランジスタ１４０ａがターンオフすることによって絶縁されるフォトカプラ１４０ｂ、１４０ｃ、及びフォトカプラ１４０ｂ、１４０ｃが絶縁されることによってターンオフされるシリコン制御整流器１４０ｄを含む。
【００６３】
本実施形態によるトランジスタ１４０ａは、ＰＮＰトランジスタでありうる。更に詳細に説明すると、第２スイッチ素子１５０がターンオンすることによって、ＰＮＰトランジスタ１４０ａのベース端子の電流が流入されるので、ＰＮＰトランジスタ１４０ａがターンオフされる。ＰＮＰトランジスタ１４０ａがターンオフすることによって、フォトカプラの発光部１４０ｂが発光しなくなり、フォトカプラの発光部１４０ｂと、フォトカプラの受光部１４０ｃは、電気的に絶縁される。従って、シリコン制御整流器１４０ｄのゲート電圧が印加されないので、シリコン整流制御器１４０ｄはターンオフされ、スナバ回路１３０が動作しなくなる。
【００６４】
本実施形態によるフォトカプラ１４０ｂ、１４０ｃは、発光部１４０ｂと受光部１４０ｃとから構成され、画像形成装置がレディモード状態になるとき、第２スイッチ素子１５０のツェナーダイオードがオフ状態であることにより、トランジスタ１４０ａはオン状態になって発光部１４０ｂが発光し、受光部１４０ｃは、発光部１４０ｂから発光された光を受光する。これにより、フォトカプラ１４０ｂ、１４０ｃは、導通（ｓｈｏｒｔ）する。従って、シリコン制御整流器１４０ｄがターンオンすることによって、スナバ回路１３０が動作する。
【００６５】
このように、本実施形態による電源供給装置１００は、画像形成装置が電源節約モードになるとき、スナバ回路１３０をオフにするので、画像形成装置の待機電力が低減する。
【００６６】
図３は、本発明の他の実施形態によるスイッチングモード電源供給装置１００の一例を図示した回路図である。本発明と関連した技術分野で当業者であるならば、図３に示した回路の動作原理について理解可能であるので、詳細な説明は省略する。
【００６７】
なお、図２は、第２スイッチ素子１５０がトランスフォーマ１１０の二次側回路での電圧によりスイッチング動作を行うものであるが、図３は、第２スイッチ素子１５０がトランスフォーマ１１０の一次側回路での電圧によりスイッチング動作を行うという点を除いては、図２と同一であるので、図２と重複する説明は省略する。
【００６８】
本実施形態によるスイッチング部１２０は、ＭＯＳＦＥＴを含む。本実施形態によるスイッチング部１２０の一例であるＭＯＳＦＥＴは、ＮチャネルＭＯＳＦＥＴでありうるが、これに限定されるものではない。
【００６９】
本実施形態による第２スイッチ素子１５０がツェナーダイオードである場合を例に挙げて説明すると、ツェナーダイオードは、スイッチング部１２０の一例であるＮチャネルＭＯＳＦＥＴのドレイン端及びソース端に並列に連結される。
【００７０】
画像形成装置が電源節約モード状態であるときのＮチャネルＭＯＳＦＥＴのドレイン−ソース電圧は、画像形成装置がレディモード状態であるときのＮチャネルＭＯＳＦＥＴのドレイン−ソース電圧より低い。
【００７１】
従って、ツェナーダイオードは、ＭＯＳＦＥＴのドレイン−ソース電圧が、画像形成装置がレディモード状態になるときの電圧より低い場合、ターンオフする。これにより、第１スイッチ素子１４０は、第２スイッチ素子１５０であるツェナーダイオードがターンオフすることによって、スナバ回路１３０をオフにする。
【００７２】
本実施形態による第１スイッチ素子１４０は、第２スイッチ素子１５０がターンオフすることによってターンオフされるトランジスタ１４０ａ、トランジスタ１４０ａがターンオフすることによって絶縁されるフォトカプラ１４０ｂ、１４０ｃ、及びフォトカプラ１４０ｂ、１４０ｃが絶縁されることによってターンオフされるシリコン制御整流器１４０ｄを含む。
【００７３】
本実施形態によるトランジスタ１４０ａは、ＮＰＮトランジスタでありうる。更に詳細に説明すると、第２スイッチ素子１５０がターンオフすることによって、ＮＰＮトランジスタ１４０ａのベース端子に電流が流入しないので、ＮＰＮトランジスタ１４０ａがターンオフされる。ＮＰＮトランジスタ１４０ａがターンオフされるので、フォトカプラの発光部１４０ｂが発光しなくなり、これによって、フォトカプラの発光部１４０ｂ及びフォトカプラの受光部１４０ｃは、電気的に絶縁される。従って、シリコン制御整流器１４０ｄのゲート電圧が印加されないので、シリコン制御整流器１４０ｄは、ターンオフされ、スナバ回路１３０が動作しなくなる。
【００７４】
本実施形態によるフォトカプラ１４０ｂ、１４０ｃは、発光部１４０ｂと受光部１４０ｃとから構成され、画像形成装置がレディモード状態になるとき、第２スイッチ素子１５０であるツェナーダイオードがオン状態であることによって、トランジスタ１４０ａは、オン状態になり、発光部１４０ｂは発光し、受光部１４０ｃは、発光部１４０ｂから発光された光を受光する。これにより、フォトカプラ１４０ｂ、１４０ｃは、導通する。従って、シリコン制御整流器１４０ｄがターンオンすることによって、スナバ回路１３０が動作する。
【００７５】
このように、本実施形態による電源供給装置１００は、画像形成装置が電源節約モード状態であるとき、スナバ回路１３０をオフにするので、画像形成装置の待機電力が低減する。
【００７６】
図４は、本発明の更に他の実施形態によるスイッチングモード電源供給装置１００の一例を図示した回路図である。本発明と関連した技術分野で当業者であるならば、図４に示した回路の動作原理について理解可能であるので、詳細な説明は省略する。
【００７７】
なお、図３は、第２スイッチ素子１５０がトランスフォーマ１１０の一次側回路での電圧によりスイッチング動作を行うものであるが、図４は、第２スイッチ素子１５０がトランスフォーマ１１０の一次側回路での電流によりスイッチング動作を行うという点を除けば、図３と同一であるので、図３と重複する説明は省略する。
【００７８】
本実施形態によるスイッチング部１２０は、ＭＯＳＦＥＴを含む。本実施形態によるスイッチング部１２０の一例であるＭＯＳＦＥＴは、ＮチャネルＭＯＳＦＥＴでありうるが、これに限定されるものではない。
【００７９】
本実施形態による第２スイッチ素子１５０がツェナーダイオードである場合を例に挙げて説明すると、ツェナーダイオードは、スイッチング部１２０の一例であるＮチャネルＭＯＳＦＥＴのソース端に連結される。
【００８０】
画像形成装置が電源節約モード状態であるときのＮチャネルＭＯＳＦＥＴのソース端に連結された抵抗１８４に流れる電流は、画像形成装置がレディモード状態であるときの抵抗１８４に流れる電流より小さい。
【００８１】
従って、ツェナーダイオードは、ＭＯＳＦＥＴのソース端に連結された抵抗１８４に流れる電流が、画像形成装置がレディモード状態になるときの電流より小さい場合、ターンオフする。これにより、第１スイッチ素子１４０は、第２スイッチ素子１４０であるツェナーダイオードがターンオフすることによって、スナバ回路１３０をオフにする。
【００８２】
本実施形態による第１スイッチ素子１４０は、第２スイッチ素子１５０がターンオフすることによってターンオフされるトランジスタ１４０ａ、トランジスタ１４０ａがターンオフすることによって絶縁されるフォトカプラ１４０ｂ、１４０ｃ、及びフォトカプラ１４０ｂ、１４０ｃが絶縁されることによってターンオフされるシリコン制御整流器１４０ｄを含む。
【００８３】
図４と関連して、上述の部分を除外した図４に示した回路の動作は、図３と同一であるので、詳細な説明は省略する。
【００８４】
このように、本実施形態による電源供給装置１００は、画像形成装置が電源節約状態になるとき、スナバ回路１３０をオフにするので、画像形成装置の待機電力が低減する。
【００８５】
図５は、本実施形態による第１スイッチ素子１４０の一例を図示した回路図である。図５を参照すると、本実施形態による第１スイッチ素子１４０は、ＰチャネルＭＯＳＦＥＴ１４０ｅを含むことができる。本発明と関連した技術分野で当業者であるならば、図５に示した回路について、図２〜図４に示した回路を参照して理解可能であるので、詳細な説明は省略する。
【００８６】
更に詳細に説明すると、図５に示したＰチャネルＭＯＳＦＥＴ１４０ｅは、図２〜図４に示したシリコン制御整流器１４０ｄのように、第２スイッチ回路１５０の動作によって、スナバ回路１３０をオフにする動作を行うことができる。
【００８７】
但し、図２〜図４に示した単方向導通が可能なシリコン制御整流器１４０ｄとは異なり、図５に示したＰチャネルＭＯＳＦＥＴ１４０ｅは、双方向導通が可能である。従って、本実施形態による電源供給装置１００には、ダイオード１８５を追加し、第２スイッチ素子１５０の制御によって、第１スイッチ素子１４０は、スナバ回路１３０のオン／オフ動作を制御することができる。
【００８８】
図６は、本実施形態による第１スイッチ素子の他の例を図示した回路図である。図６を参照すると、本実施形態による第１スイッチ素子１４０は、シリコン制御整流器１４０ｄを含まない。
【００８９】
更に詳細に説明すると、図６に示した第１スイッチ素子１４０は、フォトカプラの発光部（図示せず）及び受光部１４０ｃから構成される。これにより、第２スイッチ素子１５０の制御によって、フォトカプラは、導通又は絶縁される。
【００９０】
本発明と関連した技術分野で当業者であるならば、図６に示した回路について、図２〜図５に示した回路を参照して理解可能であるので、詳細な説明は省略する。
【００９１】
図７は、本実施形態による第１スイッチ素子１４０の更に他の例を図示した回路図である。図７を参照すると、本実施形態による第１スイッチ素子１４０は、リレイ１４０ｆを含む。
【００９２】
更に詳細に説明すると、図７に示した第１スイッチ素子１４０は、フォトカプラの発光部（図示せず）、受光部（図示せず）、及びリレイ１４０ｆから構成される。第２スイッチ素子１５０の制御によって、フォトカプラは、導通又は絶縁され、これにより、リレイ１４０ｆもオン／オフされる。
【００９３】
本発明と関連した技術分野で当業者であるならば、図７に示した回路について、図２〜図６に示した回路を参照して理解可能であるので、詳細な説明は省略する。
【００９４】
図８は、本発明の一実施形態によるスイッチングモード電源供給装置１００を含む画像形成装置８００を図示したブロック図である。図８を参照すると、画像形成装置８００は、電源供給装置１００、メインシステム８１０、通信インターフェース部８２０、ユーザ・インターフェース部８３０、保存部８４０、画像形成部８５０、ファックス部８６０、伝送機能遂行部８７０から構成される。
【００９５】
図８に示した画像形成装置８００には、本実施形態と関連した構成要素のみ図示している。従って、本実施形態と関連した技術分野で当業者であるならば、図８に示した構成要素以外に、他の汎用的な構成要素が更に含まれうるということが分かるであろう。
【００９６】
また、図８に示した電源供給装置１００は、図１〜図７で説明した電源供給装置１００と同じ動作を行うので、図１〜図７で記載した内容は、図８に示した電源供給装置１００にも適用されうる。
【００９７】
電源供給装置１００は、画像形成装置８００の状態がレディモードであるか、或いは電源節約モードであるかによる電源供給装置１００のトランスフォーマの一次側回路又は二次側回路のうちのいずれか１つの地点の電圧又は電流の値を臨界値と比較した結果によって、トランスフォーマに印加される電圧をスイッチングするスイッチング部に連結されたスナバ回路のオン／オフ動作を制御する第１スイッチ素子を制御する。
【００９８】
メインシステム８１０は、画像形成装置８００の全般的な機能を制御し、本実施形態によるメインシステム８１０は、画像形成装置８００の全般的な機能を制御するコントローラを含むことができる。
【００９９】
本実施形態による通信インターフェース部８２０は、画像形成装置８００の機能によって、ファックス送受信などに使われるモデム、ネットワーク網との接続のためのネットワーク・モジュール、移動式記録媒体とのデータ移動チャネル形成のためのＵＳＢ（ｕｎｉｖｅｒｓａｌ  ｓｅｒｉａｌ  ｂｕｓ）ホストモジュールなどをいずれも含む。このとき、外部装置は、画像形成装置８００と有線／無線ネットワークを介して連結された装置として、ファクシミリ、コンピュータシステム、モバイル端末機、個人携帯用情報端末機（ｐｅｒｓｏｎａｌ  ｄｉｇｉｔａｌ  ａｓｓｉｓｔａｎｔ）、サーバなどをいずれも含む。
【０１００】
ユーザ・インターフェース部８３０は、ユーザから入力信号を獲得し、ユーザに情報を表示する。例えば、ユーザ・インターフェース部８３０は、画像形成装置８００に設けられたディスプレイパネル、マウス、キーボード、タッチ画面、モニタ、スピーカなどの入出力装置をいずれも含む。
【０１０１】
保存部８４０は、画像形成装置８００の動作中に発生するデータ、印刷データ、スキャンデータなどを保存する。
【０１０２】
画像形成部８５０は、電源供給装置１００から出力される第１出力電圧によって動作可能であり、作業対象印刷データに関わる画像を形成する作業を行い、ファックス部８６０は、作業対象ファックスデータのファックス伝送作業を行い、伝送機能遂行部８７０は、作業対象文書を、サーバ、移動式記録媒体、コンピュータシステムなどの外部装置へ伝送する作業を行う。
【０１０３】
図９は、本発明の一実施形態による少なくとも１つのトランスフォーマを含むスイッチングモード電源供給装置（ＳＭＰＳ）１００を制御する方法のフローチャートである。図９を参照すると、図９に記載した方法は、図１〜図８に示した電源供給装置１００及び画像形成装置８００で、時系列的に処理される段階によって構成される。従って、上記で省略した内容であっても、図１〜図８に示した電源供給装置１００及び画像形成装置８００について説明した内容は、図９に記載した方法にも適用されるということが分かるであろう。
【０１０４】
９０１段階で、画像形成装置の状態がレディモードであるか、或いは電源節約モードであるかによるトランスフォーマ１１０の一次側回路又は二次側回路のうちのいずれか１つの電圧又は電流の値を臨界値と比較した結果によって、第２スイッチ素子１５０を制御する。
【０１０５】
９０２段階で、第２スイッチ素子１５０の制御によって、トランスフォーマ１１０に印加される電圧をスイッチングするスイッチング部１２０に連結されたスナバ回路１３０のオン／オフ動作を制御する第１スイッチ素子１４０を制御する。
【０１０６】
従って、電源供給装置１００は、画像形成装置８００が電源節約モードのように軽負荷を有する場合、スナバ回路１３０を動作させないことにより、待機電力を低減させることができる。
【０１０７】
一方、上述の方法は、コンピュータに実行させることができるプログラムで作成可能であり、コンピュータ読み取り可能な記録媒体を利用し、プログラムを動作させる汎用デジタル・コンピュータで具現されうる。また、上述の方法で使われたデータの構造は、コンピュータ読み取り可能な記録媒体に様々な手段を介して記録されうる。コンピュータ読み取り可能な記録媒体は、マグネチック記録媒体（例えば、ＲＯＭ（ｒｅａｄ−ｏｎｌｙ  ｍｅｍｏｒｙ）、フロッピー（登録商標）ディスク、ハードディスクなど）、光学的判読媒体（例えば、ＣＤ−ＲＯＭ、ＤＶＤ（ｄｉｇｉｔａｌ  ｖｅｒｓａｔｉｌｅ  ｄｉｓｃ）など）のような記録媒体を含む。
【０１０８】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【０１０９】
１００    電源供給装置
１１０    トランスフォーマ
１２０    スイッチング部
１３０    スナバ回路
１４０    第１スイッチ素子
１４０ａ    トランジスタ
１４０ｂ    フォトカップラの発光部
１４０ｃ    フォトカップラの受光部
１４０ｄ    シリコン制御整流器
１４０ｅ    ＰチャネルＭＯＳＦＥＴ
１４０ｆ    リレイ
１５０    第２スイッチ素子
１６０    整流部
１７０    スイッチング制御部（ＰＷＭ  ＩＣ）
１８１    第１出力電圧
１８２    第２出力電圧
１８３    二次側回路の第１地点
１８４    抵抗
１８５    ダイオード
８００    画像形成装置
８１０    メインシステム
８２０    通信インターフェース部
８３０    ユーザ・インターフェース部
８４０    保存部
８５０    画像形成部
８６０    ファックス部
８７０    伝送機能遂行部
【図１】
2012039862.tif 000003
【図２】
2012039862.tif 000004
【図３】
2012039862.tif 000005
【図４】
2012039862.tif 000006
【図５】
2012039862.tif 000007
【図６】
2012039862.tif 000008
【図７】
2012039862.tif 000009
【図８】
2012039862.tif 000010
【図９】
2012039862.tif 000011